(57)【特許請求の範囲】
【請求項１】
登録された複数の映像及び又は音声素材を繋ぎ合わせて所望の編集データを作成する編集装置において、
設定対象となる複数のパラメータを複数のグループにグループ化し、当該グループ毎にコントロールパネルに配設された複数の操作子に対して上記複数のパラメータをそれぞれ割り付けることにより、各上記操作子に対して各２以上の上記パラメータを割り付ける割付手段と、
上記複数のパラメータに対するパラメータ値を設定するための設定画面において、上記複数のパラメータと上記操作子との対応関係を表示装置に表示させる表示制御手段と、
ユーザの上記操作子に対する操作に応じて、操作された上記操作子に割り付けられた各２以上の上記パラメータのうち、現在選定されている一のグループに属する一のパラメータに対する上記パラメータ値を調整する調整手段と
を具え、
上記表示制御手段は、
上記複数の操作子を表す識別マークを、当該複数の操作子に割り付けられた上記複数のパラメータに対応させて表示させることにより、上記割付の対応関係を上記設定画面に表示すると共に、上記一のグループに属する上記パラメータに対応する上記識別マークを有効表示する一方、上記一のグループ以外の他のグループに属する上記パラメータに対応する上記識別マークを無効表示し、
上記調整手段は、
無効表示されている上記識別マークに対するユーザの操作に応じて、操作された当該識別マークが属するグループを上記一のグループに選定する
ことを特徴とする編集装置。
【請求項２】
上記複数のパラメータは、
上記編集データに対して実行されるエフエクト処理の詳細を表す
ことを特徴とする請求項１に記載の編集装置。
【請求項３】
上記識別マークは、
上記操作子をイメージした形状を有する
ことを特徴とする請求項１に記載の編集装置。
【請求項４】
上記表示制御手段は、
ユーザの操作要求に応じて、選択された一のグループに属する全ての上記パラメータを上記表示装置に表示する
ことを特徴とする請求項１に記載の編集装置。
【請求項５】
上記割付手段は、
上記複数のパラメータを当該パラメータの機能に応じたグループにグループ分けする
ことを特徴とする請求項１に記載の編集装置。
【請求項６】
上記表示制御手段は、
上記コントロールパネルとの接続が切断されている場合には、上記割付の対応関係を表示させない
ことを特徴とする請求項１に記載の編集装置。
【請求項７】
登録された複数の映像及び又は音声素材を繋ぎ合わせて所望の編集データを作成する際のパラメータ値調整方法において、
複数のグループにグループ化された設定対象となる複数のパラメータを、上記グループ毎にコントロールパネルの複数の操作子に対してそれぞれ割り付けることにより各上記操作子に対して各２以上割り付けられた複数のパラメータと共に、上記複数のパラメータと上記操作子との対応関係を表示し、上記複数の操作子を表す識別マークを、当該複数の操作子に割り付けられた上記複数のパラメータに対応させて表示させることにより、上記割付の対応関係を上記設定画面に表示すると共に、現在選定されている一のグループに属する上記パラメータに対応する上記識別マークを有効表示する一方、上記一のグループ以外の他のグループに属する上記パラメータに対応する上記識別マークを無効表示する表示ステツプと、
ユーザの上記操作子に対する操作に応じて、操作された上記操作子に割り付けられた各２以上の上記パラメータのうち、上記一のグループに属する一のパラメータに対する上記パラメータ値を調整し、又は無効表示されている上記識別マークに対するユーザの操作に応じて、操作された当該識別マークが属するグループを上記一のグループに選定する調整ステツプと
を具えることを特徴とするパラメータ調整方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）本実施の形態による編集装置の構成（図１）
（２）主制御部の構成（図２）
（３）メイン画面におけるＣＰＵの処理（図３〜図７）
（４）エフエクトの各種詳細設定（図８〜図１０）
（５）エフエクトセツトアツプウインドにおけるＣＰＵの各種処理手順（図１１〜図１３）
（６）本実施の形態の動作及び効果（図１〜図１３）
（７）他の実施の形態（図１〜図１３）
発明の効果
【０００３】
【発明の属する技術分野】
本発明は編集リトス作成装置及び編集リスト作成方法に関し、例えば編集内容を規定したいわゆる編集リストを作成し得るようになされた編集装置に適用して好適なものである。
【０００４】
【従来の技術】
従来、この種の編集装置として、例えば編集リストを作成するための所定のＧＵＩ（Graphical User Interface）画面をデイスプレイに表示し、当該ＧＵＩ画面に基づいてオペレータがマウスやキーボードを介してコマンドや数値等を入力することにより所望の編集リストを作成し得るようになされたものがある。
【０００５】
またこの種の編集装置として、ＧＵＩ画面とは別に、コントロールパネルを接続することにより、当該コントロールパネルに配設された複数のつまみやスイツチ等の操作子を介して各種コマンドやパラメータ値を入力又は変更し得るようになされたものも製品化されている。
【０００６】
【発明が解決しようとする課題】
ところがこのようにコントロールパネルを介して各種コマンドやパラメータ値を入力又は変更し得るようになされた従来の編集装置では、コントロールパネルの各操作子に対する各種コマンド又はパラメータの割り付けをオペレータが覚えておいてコントロールパネルを利用するようになされていた。
【０００７】
このためのこの種の編集装置では、オペレータがコントロールパネルの各操作子に対する各種コマンド又はパラメータの割り付けを確実に把握していなければコントロールパネルを正しく利用できない問題があつた。
【０００８】
また一般的にＧＵＩ画面では、選択や設定等のコントロールができない項目については対応する文字やボタン等が灰色等で無効表示される。そしてこの無効表示された項目を選択するためには、煩雑な操作による設定変更を必要とし、このような設定変更を行わない限り無効表示された文字やボタン等をクリツクしても反応が得られなかつた。
【０００９】
しかしながら一般的にオペレータは、無効表示されたものを選択し得るようにするための操作法を熟知していないことが多く、このような設定変更を簡単には行い難い問題があつた。
【００１０】
従つて例えば編集装置において、コントロールパネルの各操作子と、コマンド又はパラメータとの対応づけをオペレータが容易に把握できるようにし、及び又はＧＵＩ画面上において無効表示された項目に対して容易に有効となるように設定変更し得るようにすることができれば、編集リストの作成作業を容易化させて編集作業の作業効率を向上させ得るものと考えられる。
【００１１】
本発明は以上の点を考慮してなされたもので、編集作業の作業効率を向上させ得る編集リスト作成装置及び編集リスト作成方法を提案しようとするものである。
【００１２】
【課題を解決するための手段】
かかる課題を解決するため本発明においては、登録された複数の映像及び又は音声素材を繋ぎ合わせて所望の編集データを作成する編集装置において、設定対象となる複数のパラメータを複数のグループにグループ化し、当該グループ毎にコントロールパネルに配設された複数の操作子に対して複数のパラメータをそれぞれ割り付けることにより、各操作子に対して各２以上のパラメータを割り付ける割付手段と、複数のパラメータに対するパラメータ値を設定するための設定画面において、複数のパラメータと操作子との対応関係を表示装置に表示させる表示制御手段と、ユーザの操作子に対する操作に応じて、操作された操作子に割り付けられた各２以上のパラメータのうち、現在選定されている一のグループに属する一のパラメータに対するパラメータ値を調整する調整手段とを設け、表示制御手段は、複数の操作子を表す識別マークを、当該複数の操作子に割り付けられた複数のパラメータに対応させて表示させることにより、割付の対応関係を設定画面に表示すると共に、一のグループに属するパラメータに対応する識別マークを有効表示する一方、一のグループ以外の他のグループに属するパラメータに対応する識別マークを無効表示し、調整手段は、無効表示されている識別マークに対するユーザの操作に応じて、操作された当該識別マークが属するグループを一のグループに選定するようにした。
【００１３】
この結果この編集リスト作成装置では、コントロールパネルの各操作子と、パラメータとの対応関係を容易に把握することができる。
【００１４】
また本発明においては、登録された複数の映像及び又は音声素材を繋ぎ合わせて所望の編集データを作成する際のパラメータ値調整方法において、複数のグループにグループ化された設定対象となる複数のパラメータを、グループ毎にコントロールパネルの複数の操作子に対してそれぞれ割り付けることにより各操作子に対して各２以上割り付けられた複数のパラメータと共に、複数のパラメータと操作子との対応関係を表示し、複数の操作子を表す識別マークを、当該複数の操作子に割り付けられた複数のパラメータに対応させて表示させることにより、割付の対応関係を設定画面に表示すると共に、現在選定されている一のグループに属するパラメータに対応する識別マークを有効表示する一方、一のグループ以外の他のグループに属するパラメータに対応する識別マークを無効表示する表示ステツプと、ユーザの操作子に対する操作に応じて、操作された操作子に割り付けられた各２以上のパラメータのうち、一のグループに属する一のパラメータに対するパラメータ値を調整し、又は無効表示されている識別マークに対するユーザの操作に応じて、操作された当該識別マークが属するグループを一のグループに選定する調整ステツプとを設けるようにした。
【００１５】
この結果、このパラメータ地調整方法によれば、コントロールパネルの各操作子と、パラメータとの対応関係を容易に把握することができる。
【００１６】
【発明の実施の形態】
以下図面について、本発明の一実施の形態を詳述する。
【００１７】
（１）本実施の形態による編集装置の構成
図１において、１は全体として本実施の形態による編集装置を示し、ビデオテープに記録された映像音声の所望部分をクリツプとして登録し得る一方、必要に応じて所望するクリツプの映像信号及び音声信号をハードデイスク装置２に取り込み得るようになされている。
【００１８】
またこの編集装置１では、登録された各クリツプを所望状態に繋ぎ合わせて所望の編集映像音声を得るための編集内容を規定した編集リストを作成でき、さらにこの作成した編集リストに従つて実際に編集処理を実行し、得られた編集映像及び編集音声をビデオテープに記録することができるようになされている。
【００１９】
すなわちこの編集装置１は、主制御部３、システム制御部４、映像入力部５、映像出力部６、デイジタル映像音声入出力部７、映像特殊効果処理部８、音声入出力／ミキサ部９及びデイスク制御部１０がコントロールバス１１を介して相互に接続されることにより構成されている。
【００２０】
この場合主制御部３は、初期時、デイスプレイ１２に所定の操作画面（以下、これをメイン画面と呼ぶ）を表示させる。また主制御部３は、この状態においてマウス１３が操作されることにより、クリツプ登録モードが選択され、当該編集装置１に接続された複数台のビデオテープレコーダ１４Ａ〜１４Ｄのなかから１台のビデオテープレコーダ１４Ａ〜１４Ｄの再生動作命令が入力されると、これに応じた制御コマンドＣ１をシステム制御部４に送出する。
【００２１】
システム制御部４は、供給される制御コマンドＣ１に基づいて、対応するビデオテープレコーダ１４Ａ〜１４Ｄに制御信号Ｓ１を送出することにより、ビデオテープに記録された映像信号及び音声信号の再生動作を実行させる。
【００２２】
この結果このビデオテープレコーダ１４Ａ〜１４Ｄからはアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００２３】
またこのときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００２４】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００２５】
映像特殊効果処理部８は、システム制御部４の制御のもとに、映像入力部５又はデイジタル映像音声入出力部７から供給されるデイジタル映像信号Ｓ６、Ｓ４を主制御部３に送出する。かくしてこのときデイスプレイ１２には、主制御部４の制御のもとにデイジタル映像信号Ｓ６、Ｓ４に基づく映像がメイン画面上の所定位置に表示される。
【００２６】
またこのときアナログ音声信号Ｓ３が取り込まれた場合には、これがそのまま音声入出力／ミキサ部９から図示しないスピーカに送出され、またデイジタル音声信号Ｓ５が取り込まれた場合には、これが音声入出力／ミキサ部９においてアナログ変換された後、スピーカに送出される。
【００２７】
これによりこの編集装置１では、デイスプレイ１２に表示された映像及びスピーカから出力される音声に基づいて、オペレータがマウス１３及びキーボード１５を用いて映像及び音声の所望部分を指定することができ、さらにこれをクリツプとしてそのイン点及びアウト点のタイムコードや素材長（デユレーシヨン）等の関連データを主制御部３内に登録することができるようになされている。
【００２８】
また主制御部３は、このとき予め取込みモードが選択されている場合には、これに応じた制御コマンドＣ１をシステム制御部４に送出する。
【００２９】
システム制御部４は、供給される制御コマンドＣ１に基づいて、対応するビデオテープレコーダ１４Ａ〜１４Ｄに制御信号Ｓ１を送出することにより、指定されたクリツプの映像音声を当該ビデオテープレコーダ１４Ａ〜１４Ｄに再生させる一方、映像入力部５及び音声入出力／ミキサ部９と、デイジタル映像音声入出力部７とのいずれか一方をコントロールバス１１を介して制御することにより、ビデオテープレコーダ１４Ａ〜１４Ｄから出力されるアナログ映像信号Ｓ２及びアナログ音声信号Ｓ３と、デイジタル映像信号Ｓ４及びデイジタル音声信号Ｓ５とのうちのいずれか一方を取り込ませる。
【００３０】
この結果映像入力部５を介してアナログ映像信号Ｓ２が取り込まれた場合には、これが映像入力部５においてデイジタル変換された後デイジタル映像信号Ｓ６として映像特殊効果処理部８を介してデイスク制御部１０に送出され、デイジタル映像音声入出力部７を介してデイジタル映像信号Ｓ４が取り込まれた場合には、これがそのままデイスク制御部１０に送出される。
【００３１】
またこのとき音声入出力／ミキサ部９を介してアナログ音声信号Ｓ３が取り込まれた場合には、これが音声入出力／ミキサ部９においてデイジタル変換された後デイジタル音声信号Ｓ７としてデイスク制御部１０に送出され、デイジタル映像音声入出力部９を介してデイジタル音声信号Ｓ５が取り込まれた場合には、これが直接デイスク制御部１０に送出される。
【００３２】
そしてデイスク制御部１０は、このときシステム制御部４からコントロールバス１１を介して与えられるコマンドに基づいて、映像特殊効果処理部８又はデイジタル映像音声入出力部７から与えられるデイジタル映像信号Ｓ６、Ｓ４と、音声入出力／ミキサ部９又はデイジタル映像音声入出力部７から与えられるデイジタル音声信号Ｓ７、Ｓ５とを順次取り込み、これらをハードデイスク装置２に与えてハードデイスクの指定されたアドレス位置に記録させる。
【００３３】
このようにしてこの編集装置１においては、指定されたクリツプの映像音声をビデオテープから再生してハードデイスク装置２に取り込むことができるようになされている。
【００３４】
一方主制御部３は、上述のようにしてクリツプが登録されると、デイスプレイ１２に表示されているメイン画面内に、登録されたクリツプのリストを表示させる。
【００３５】
そしてオペレータは、このメイン画面を用いてどのクリツプとどのクリツプとをどのように繋ぎ合わせるかといつた編集内容を規定した編集データを編集リストとして作成することができる。またオペレータは、編集リストの作成後又は作成途中において、その編集リストに基づく編集映像及び編集音声を確認することができる。
【００３６】
実際上、主制御部３は、編集リストの作成後又は作成途中において、その編集リストに基づく編集映像音声のプレビユーモードが選択されると、これに応じた制御コマンドＣ１をシステム制御部４に送出する。
【００３７】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、編集処理に利用するクリツプの映像音声をハードデイスク装置２から再生させる。
【００３８】
この結果このビデオテープレコーダ１４Ａ〜１４Ｄからは指定されたクリツプのアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００３９】
このときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００４０】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００４１】
映像特殊効果処理部８においては、システム制御部４の制御のもとに、供給される各クリツプのデイジタル映像信号Ｓ６、Ｓ４を必要に応じて指定された状態に特殊効果加工処理する。また映像特殊効果処理部８は、このとき主制御部４から必要に応じて与えられるタイトル文字や各種グラツフイツク等の画像データを各クリツプのデイジタル映像信号Ｓ６、Ｓ４間に挿入し、又はデイジタル映像信号Ｓ６、Ｓ４に重畳し、かくして得られたデイジタル編集映像信号Ｓ８を映像出力部６に送出する。
【００４２】
映像出力部６は、システム制御部４の制御のもとに、供給されるデイジタル編集映像信号Ｓ８をアナログ変換し、得られた編集映像信号Ｓ９をモニタ１６に送出する。
【００４３】
一方このときビデオテープレコーダ１４Ａ〜１４Ｄから出力されたアナログ音声信号Ｓ３及びデイジタル音声信号Ｓ５のうち、音声入出力／ミキサ部９を介してアナログ音声信号Ｓ３が取り込まれた場合には、これが音声入出力／ミキサ部９において必要に応じてミキシング等の編集処理が施された後編集音声信号としてスピーカに送出され、デイジタル映像音声入出力部７を介してデイジタル音声信号Ｓ５が取り込まれた場合には、これが音声入出力／ミキサ部９においてアナログ変換され、ミキシング等の編集処理が施された後、編集音声信号としてスピーカに送出される。
【００４４】
この結果この編集装置１においては、モニタ１６に編集映像信号Ｓ９に基づく編集映像が表示されると共にスピーカから編集音声信号に基づく編集音声が出力され、かくしてオペレータが編集リストに基づく編集映像及び編集音声を確認することができる。
【００４５】
さらに主制御部３は、編集リストが作成された後、マウス１３又はキーボード１５が操作されてその実行命令が入力されると、これに応じた制御コマンドＣ１をシステム制御部４に送出する。
【００４６】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、ハードデイスク装置２から編集処理に利用するクリツプの映像音声を再生させる。
【００４７】
この結果上述のプレビユーモード時と同様にして、映像特殊効果処理部８には、ビデオテープレコーダ１４Ａ〜１４Ｄから映像入力部５若しくはデイジタル映像音声入出力部７を経由して必要なクリツプのデイジタル映像信号Ｓ６、Ｓ４が与えられ、又はハードデイスク装置２からデイスク制御部１０を経由して必要なクリツプのデイジタル映像信号Ｓ６、Ｓ４が与えられる。
【００４８】
またこのとき音声入出力／ミキサ部９には、ビデオテープレコーダ１４Ａ〜１４Ｄから直接若しくはデイジタル映像音声入出力部７を経由して必要なクリツプのアナログ音声信号Ｓ３若しくはデイジタル音声信号Ｓ５が与えられ、又はハードデイスク装置２からデイスク制御部１０を経由して必要なクリツプのデイジタル音声信号Ｓ７、Ｓ５が与えられる。
【００４９】
そして映像特殊効果処理部８は、システム制御部４の制御のもとに、上述のプレビユーモード時と同様にして、供給される各クリツプのデイジタル映像信号Ｓ６、Ｓ４を必要に応じて特殊効果加工処理し、かくして得られた編集映像の映像信号でなるデイジタル編集映像信号Ｓ８を映像出力部６に送出する。
【００５０】
映像出力部６は、システム制御部４の制御のもとに、供給されるデイジタル編集映像信号Ｓ８をアナログ変換し、得られた編集映像信号Ｓ９を対応するビデオテープレコーダ１４Ａ〜１４Ｄに送出する。
【００５１】
またこのとき音声入出力／ミキサ部９は、システム制御部の制御のもとに、上述のプレビユーモード時と同様にして、供給される各クリツプのアナログ音声信号Ｓ２又はデイジタル音声信号Ｓ５、Ｓ７に対して必要に応じてミキシング等の編集処理を施し、かくして得られた編集音声信号Ｓ１０を対応するビデオテープレコーダ１４Ａ〜１４Ｄに送出する。
【００５２】
ビデオテープレコーダ１４Ａ〜１４Ｄは、システム制御部４から与えられる制御信号Ｓ１に基づいて、これら映像出力部６から供給される編集映像信号Ｓ９と、音声入出力／ミキサ部９から供給される編集音声信号Ｓ１０とをビデオテープの指定された位置に記録する。
【００５３】
このようにしてこの編集装置１では、作成された編集リストに従つて指定されたクリツプの映像音声を指定された状態に編集加工してビデオテープに記録することができるようになされている。
【００５４】
かかる構成に加えこの編集装置１の場合、編集リストを作成する際、オペレータが所望する特殊効果処理に対する各種パラメータの設定（例えばワイプ時に２つの映像の境界にラインを表示する場合において、そのラインの色相、彩度及び輝度の値や、そのラインの幅など）を、マウス１３やキーボード１５の他にシステム制御部４に接続されたコントロールパネル１７のつまみ１７Ａ〜１７Ｄを回転操作することによつても行うことができるようになされている。
【００５５】
実際上コントロールパネル１７は、その前面上段に配設された複数のつまみ１７Ａ〜１７Ｄのうちのいずれかのつまみ１７Ａ〜１７Ｄが回転操作されると、これに応じた操作信号Ｓ１１をシステム制御部４を介して主制御部３及び映像特殊効果処理部８に送出する。
【００５６】
主制御部４は、デイスプレイ１２に特殊効果処理に対する各種パラメータの設定画面を表示させている場合、操作信号Ｓ１１に基づいて当該設定画面内の対応するパラメータの値を変化させる。
【００５７】
またこのとき映像特殊効果処理部８は、主制御部４の制御のもとに、指定された特殊効果処理に応じた映像（例えば特殊効果処理としてワイプが選択され、２つの映像の境界にラインを表示するモードが選択された場合におけるそのライン）を映像出力部６を介してモニタ１６に表示させており、当該モニタ１６に表示させた特殊効果処理の映像をコントールパネル１７からシステム制御部４を介して与えられる操作信号Ｓ１１に基づいて対応する状態に変化（例えばラインの色相、彩度及び輝度の値や、そのラインの幅などを変化）させる。
【００５８】
このようにしてこの編集装置１では、オペレータがモニタ１６に表示された映像を目視確認しながらコントロールパネル１７のつまみ１７Ａ〜１７Ｄを用いて所望する特殊効果処理に対する各種パラメータの設定を自在に調節することができるようになされている。
【００５９】
（２）主制御部の構成
ここで主制御部３は、図２に示すように、ＣＰＵ（Central Processing Unit ）２０、ＲＯＭ（Read Only Memory）２１、ＲＡＭ（Random Access Memory）２２、表示処理部２３、タイトル／グラフイツク生成部２４及びインターフエース回路２５、２６がＣＰＵバス２７を介して接続されることにより構成されており、各インターフエース回路２５、２６をそれぞれ介してマウス１３及びキーボード１５と接続されている。
【００６０】
この場合ＣＰＵ２０は、例えばマウス１３やキーボード１５が操作されることにより所定処理の実行命令がインターフエース回路２５、２６を介して与えられた場合や、コントロールパネル１７が操作されることにより所定の実行命令がシステム制御部４を介して与えられた場合には、ＲＯＭ２１に格納されたプログラムに基づいて、必要に応じてシステム制御部４に制御コマンドＣ１を送出することにより、当該システム制御部４を介して対応するビデオテープレコーダ１４Ａ〜１４Ｄ、映像入出力部５、映像出力部６、デイジタル映像音声入出力部７、映像特殊効果処理部８、音声入出力／ミキサ部９及び又はデイスク制御部１０に所定動作を実行させ、かくして編集装置１全体として上述したような各種処理を実行させる。
【００６１】
またこのときＣＰＵ２０は、ＲＯＭ２１に格納されたプログラムに基づいて、必要に応じてＲＯＭ２１内の画像データを読み出し、これを表示処理部２３を介してデイスプレイ１２に与えることにより、後述のようなメイン画面や各種ウインドを表示させる一方、マウス操作に応動してメイン画面内を移動するカーソルや、キーボード１５を介して入力された数字や文字などをデイスプレイ１２に表示させ、かつ映像特殊効果処理部８からタイトル／グラフイツク生成部２４を介して表示処理部２３に与えられるデイジタル映像信号Ｓ６、Ｓ４に基づく映像や静止画像をメイン画面内の所定位置に表示させる。
【００６２】
さらにＣＰＵ２０は、ＲＯＭ２１に格納されたプログラムに基づいて、必要時にはタイトル／グラフツク生成部２４を制御してタイトル文字やグラフイツクの画像データを生成させてこれを映像特殊効果処理部８に送出させ得るようになされている。
【００６３】
（３）メイン画面におけるＣＰＵの処理
ここで実際上ＣＰＵ２０は、電源が投入された立ち上がり時、ＲＯＭ２１に格納されているプログラムに基づいて、まず図３に示すようなメイン画面３０をデイスプレイに表示させる。
【００６４】
このメイン画面３０には、オペレータが所望する処理内容を選択するための複数のボタン３１Ａ〜３１Ｑと、登録された各クリツプのリスト等を表示するためのクリツプ情報表示部３２と、編集リスト作成時における各種処理を指定するための複数のボタン３３Ａ〜３３Ｔと、編集リストを作成するための編集リスト作成部３５とが設けられている。
【００６５】
そしてＣＰＵ２０は、このメイン画面３０がデイスプレイ１２に表示された状態において、マウス操作により画面上段のビデオクリツプエデイツトボタン３１Ｋが選択されると、図４のようなウインド（以下、これをビデオクリツプエデイツトウインドと呼ぶ）４０をメイン画面３０上に重ねて表示させる。
【００６６】
この場合ビデオクリツプエデイツトウインド４０では、左側上段に各ビデオテープレコーダ１４Ａ〜１４Ｄにそれぞれ対応させてソース選択ボタン４１Ａ〜４１Ｄが複数表示されており、マウス操作によりこれらソース選択ボタン４１Ａ〜４１Ｄのうちのいずれか１つを選択することにより所望の１台のビデオテープレコーダ１４Ａ〜１４Ｄを選択することができる。
【００６７】
そしてＣＰＵ２０は、いずれかのソース選択ボタン１４Ａ〜１４Ｄが選択された後、マウス操作によりビデオクリツプエデイツトウインド４０内に表示されたいずれかのビデオ操作用ボタン４２Ａ〜４２Ｇが選択されると、システム制御部４を介して対応するビデオテープレコーダ１４Ａ〜１４Ｄを制御することにより当該ビデオテープレコーダ１４Ａ〜１４Ｄに選択されたビデオ操作用ボタン４２Ａ〜４２Ｇに応じた動作を実行させる。なおＣＰＵ２０は、ビデオクリツプエデイツトウインド４０内のスライダ４３が操作されたときも、同様にして対応するビデオテープレコーダ１４Ａ〜１４Ｄに指定された動作を実行させる。
【００６８】
そしてこのときビデオテープレコーダ１４Ａ〜１４Ｄに再生動作や変速再生動作を実行させた場合、当該ビデオテープレコーダ１４Ａ〜１４Ｄによりビデオテープから再生された映像がこのビデオクリツプエデイツトウインド４０内のライブ映像表示部４４内に表示される。
【００６９】
かくしてオペレータは、このライブ映像表示部４４内に表示された映像を目視確認しながらイン点指定用ボタン４５又はアウト点指定用ボタン４６をクリツクすることによつてクリツプとして登録しようとする映像部分のイン点及びアウト点を指定することができる。そしてこのとき指定されたイン点及びアウト点の画像がそれぞれイン点画像表示部４７又はアウト点画像表示部４８内に表示される。
【００７０】
またこのときイン点又はアウト点として指定された各画像のビデオテープにおけるタイムコードがそれぞれイン点タイムコード表示部４９又はアウト点タイムコード表示部５０にそれぞれ表示され、指定されたクリツプの素材長（デユレーシヨン）がデユレーシヨン表示部５１に表示される。
【００７１】
なおＣＰＵ２０は、マウス操作によりビデオクリツプエデイツトウインド４０内のコマ送りボタン５２Ａ、５２Ｂが選択されると、システム制御部４を介して対応するビデオテープレコーダ１４Ａ〜１４Ｄを制御することにより、ライブ映像表示部４４内に表示された映像を順方向又は逆方向にコマ送り表示させる一方、ライブ映像移動ボタン５３、５４が選択されたときには、システム制御部４を介して対応するビデオテープレコーダ１４Ａ〜１４Ｄを制御することにより、ライブ映像表示部４４内の表示画像をイン点又はアウト点まで移動させる。
【００７２】
そしてＣＰＵ２０は、上述のようにしてクリツプのイン点及びアウト点が指定された後、マウス操作により登録ボタン５５が選択されると、このときデイスプレイ１２に表示させているそのクリツプのイン点及びアウト点のタイムコードや、素材長及び保存位置（ビデオテープ又はハードデイスク装置２内）等の関連データをデータベースとしてＲＡＭ２２に取り込む一方、このようにして登録されたクリツプのイン点及びアウト点のタイムコードや素材長等の関連データを図５のようにメイン画面３０のクリツプ情報表示部３２内に表示させる。
【００７３】
またＣＰＵ２０は、このとき例えばビデオクリツプエデイツトウインド４０のモアボタン５６を選択することによつて開くことのできる図示しない設定画面上で予め取込みモードが選択されている場合には、システム制御部４を介して対応するビデオテープレコーダ１４Ａ、１４Ｄと、映像入力部５及び音声入出力／ミキサ部９又はデイジタル映像音声入出力部７と、映像特殊効果処理部８と、デイスク制御部１０とを上述のように制御することにより、このクリツプの映像音声を上述のようにしてハードデイスク装置２に取り込ませる一方、そのクリツプの保存位置がハードデイスク装置２内であることを表すデータをデータベース内の対応する位置に格納する（例えばフラグを立てる）。
【００７４】
因にこのときＣＰＵ２０は、このクリツプの映像信号及び音声信号を指定された範囲（すなわち指定されたイン点からアウト点まで）よりも前後所定時間分（例えば２秒分）だけ余分にハードデイスク装置２に取り込ませる。またこのときＣＰＵ２０は、例えばオペレータにより上述の設定画面上で予めリンクモードが選択されている場合には映像と音声をデータとしてリンクさせてハードデイスク装置２に取り込ませる一方、ノンリンクモードが選択されている場合には映像と音声をデータとしてリンクさせないでハードデイスク装置２に取り込ませる。
【００７５】
そしてＣＰＵ２０は、この後マウス操作によりニユーエデイツトボタン５７が選択されると、このビデオクリツプエデイツトウインド４０を初期状態に戻す。これによりオペレータは、この後上述と同様の手順により他のクリツプを順次登録することができる。またＣＰＵ２０は、マウス操作によりクローズボタン５８が選択されると、当該ビテオクリツプエデイツトウインド４０を閉じさせる。
【００７６】
一方オペレータは、上述のようにしてメイン画面３０のクリツプ情報表示部３２に登録されたクリツプのリストが表示された状態（図５）において、このメイン画面３０の編集リスト作成部３５を利用して以下の方法により編集リストを作成することができる。
【００７７】
この場合まずマウス操作によりクリツプ情報表示部３２内の所望のクリツプの段にカーソルを合わせた後、マウス１３のボタンを押下するようにして１つのクリツプを指定し、その状態のままカーソルを、編集リスト作成部３５のタイムスケール３５Ａを指標として、第１又は第２のビデオトラツク３５Ｃ、３５Ｅ内の所望位置に移動させた後、マウス１３のボタンを放すようにする。
【００７８】
この結果ＣＰＵ２０は、この第１又は第２のビデオトラツク３５Ｃ、３５Ｅ内に、図６に示すように、そのときのカーソルの位置を先頭して、上述のようにして指定されたクリツプの素材長に応じた長さの枠６０Ａ〜６０Ｄを表示させる。またＣＰＵ２０は、このときそのクリツプの映像と音声がリンクされて登録されている場合には、その枠６０Ａ〜６０Ｄが表示された第１又は第２のビデオトラツク３５Ｃ、３５Ｄと対応する第１又は第２のオーデイオトラツク３５Ｇ、３５Ｈ上に第１又は第２のビデオトラツク３５Ｃ、３５Ｅ内に表示された枠６０Ａ〜６０Ｄとタイムスケール３５Ａ上で同じ位置に同じ長さの枠６１Ａ〜６１Ｄを表示させる。
【００７９】
そしてオペレータは、上述のような操作を繰り返し行い、タイムスケール３５Ａの始めのタイムコード（「00:00.00:00 」）から所望するタイムコードまで（すなわち所望する時間分だけ）タイムスケール３５Ａ上において連続するように、第１又は第２のビデオトラツク３５Ｃ、３５Ｅと、第１又は第２のオーデイオトラツク３５Ｇ、３５Ｈとに順次枠６０Ａ〜６０Ｄ、６１Ａ〜６１Ｄを表示させるようにする。
【００８０】
ここでこのように編集リスト表示部３５の第１又は第２のビデオトラツク３５Ｃ、３５Ｅや、第１又は第２のオーデイオトラツク３５Ｇ、３５Ｈに枠６０Ａ〜６０Ｄ、６１Ａ〜６１Ｄが表示されることは、編集映像音声の出力時にタイムスケール３５Ａで表された時間にその枠６０Ａ〜６０Ｄ、６１Ａ〜６１Ｄに対応するクリツプの映像が表示され又は音声が出力されることを意味する。従つてこのような操作により編集映像として表示され、又は編集音声として出力されるクリツプ映像又は音声を順次規定してなる編集リストを作成することができる。
【００８１】
なおこのようにして編集リストを作成する際、例えば第１のクリツプの映像から第２のクリツプの映像への切り換わり時に特殊効果処理を施したいときには、先行する第１のクリツプに対応する第１の枠６０Ａ〜６０Ｄを一方の第１又は第２のビデオトラツク３５Ｃ、３５Ｅに表示させると共に、当該第１の枠６０Ａ〜６０Ｄの後側の一部とその前側の一部がタイムスケール３５Ａでのタイムコードが重なるように、後行する第２のクリツプに対応する第２の枠６０Ａ〜６０Ｄを他方の第２又は第１のビデオトラツク３５Ｅ、３５Ｃ上に表示させる。
【００８２】
続いてマウス操作により画面中段部のセレクトエフエクトボタン３３Ｒをクリツクする。この結果ＣＰＵ２０は、メイン画面３０上に、例えば図７のような実行できる各種特殊効果処理の内容を表すアイコン（以下、これらをエフエクトアイコンと呼ぶ）６３Ａ〜６３Ｙが複数表示された所定のウインド（以下、これをセレクトエフエクトウインドと呼ぶ）６２を表示させる。
【００８３】
次いで所望する特殊効果処理のエフエクトアイコン６３Ａ〜６３Ｙ上にカーソルを移動させた後、マウス１３のボタンを押下し、その状態でカーソルを上述の編集リスト作成部３５のエフエクトトラツク３５Ｄにおける一方の第１又は第２のビデオトラツク３５Ｃ、３５Ｅに表示された第１の枠６０Ａ〜６０Ｄと、他方の第２又は第１のビデオトラツク３５Ｅ、３５Ｃに表示された第２の枠６０Ａ〜６０Ｄとのタイムスケール３５Ａ上でのタイムコードが重なり合う部分に移動させてマウス１３のボタンを放すようにする。
【００８４】
この結果ＣＰＵ２０は、セレクトエフエクトウインド６２内に表示されたエフエクトアイコン６３Ａ〜６３Ｙを画面上をカーソルと一体に移動させると共に、当該エフエクトアイコン６３Ａ〜６３Ｙをマウス１３のボタンが放された位置に貼り付けられた状態に表示させる。
【００８５】
これにより一方の第１又は第２のビデオトラツク３５Ｃ、３５Ｅに表示された第１の枠６０Ａ〜６０Ｄに対応するクリツプの映像と、他方の第２又は第１のビデオトラツク３５Ｅ、３５Ｃに表示された第２の枠６０Ａ〜６０Ｄに対応するクリツプの映像との繋ぎ部分において上述のようにして貼り付けられたエフエクトアイコン６３Ａ〜６３Ｙに対応する特殊効果処理を実行すべき旨の指示を入力することができる。なおセレクトエフエクトウインド６２は、マウス操作によりクローズボタン６４をクリツクすることによりクローズさせることができる。
【００８６】
さらにＣＰＵ２０は、このようにして編集リストが作成された後又は編集リストの作成時に、マウス操作によりメイン画面３０の中段に表示されたプレビユーボタン３３Ｄがクリツクされることによりプレビユーモードが選択されると、上述のようにシステム制御部４を介して対応するビデオテープレコーダ１４Ａ〜１４Ｄ、映像入力部５、映像出力部６、デイジタル映像音声入出力部７、映像特殊効果処理部８、音声入出力／ミキサ部９及び又はデイスク制御部１０を必要に応じて制御することにより、この編集リストに基づく編集映像をモニタ１６に表示させ、また当該編集リストに基づく編集音声をスピーカから出力させる。
【００８７】
さらにＣＰＵ２０は、上述のようにして編集リストが作成された後、メイン画面３０の中段に表示させた記録ボタン３３Ｇがクリツクされることにより記録モードが選択されると、上述のようにシステム制御部４を介して対応するビデオテープレコーダ１４Ａ〜１４Ｄ、映像入力部５、映像出力部６、デイジタル映像音声入出力部７、映像特殊効果処理部８、音声入出力／ミキサ部９及び又はデイスク制御部１０を必要に応じて制御することにより、当該編集リストに基づく編集処理を実行させ、かくして得られた編集映像及び編集音声をオペレータにより予め指定されたビデオテープレコーダ１４Ａ〜１４Ｄを介してビデオテープに記録させる。
【００８８】
（４）エフエクトの各種詳細設定
ここでＣＰＵ２０は、編集リストの作成時において、メイン画面３０の編集リスト作成部３５のエフエクトトラツク３５Ｄに表示されたエフエクトアイコン６３Ａ〜６３Ｙがダブルクリツクされると、図８に示すようなウインド（以下、これをエフエクトセツトアツプウインドと呼ぶ）７０をメイン画面３０上に重ねて表示させる。
【００８９】
この場合エフエクトセツトアツプウインド７０には、複数のタブ７２Ａ〜７２Ｇが設けられており、これらタブ７２Ａ〜７２Ｇの中からマウス操作により所望のタブ７２Ａ〜７２Ｇをクリツクすることによつて、そのタブ７２Ａ〜７２Ｇに対応する各種モードやパラメータ値等の設定や、その変更を行うモードを選択することができる。
【００９０】
実際上ＣＰＵ２０は、例えば初期時やエツジタブ７２Ａが選択された場合には、設定内容表示欄７３内に図８のようにソフトエツジ設定欄７４と、ボーダ設定欄７５とを表示させる。このときＣＰＵ２０は、ソフトエツジ設定欄７４内に「OFF 」及び「ON」の文字と、これらの文字にそれぞれ対応させていずれか一方のみをオン状態とすることのできる第１及び第２の選択ボタン７６Ａ、７６Ｂを表示させる。
【００９１】
そしてオペレータは、第１及び第２の選択ボタン７６Ａ、７６Ｂのいずれか一方をマウス操作により選択することができ、例えば第２の選択ボタン７６Ｂを選択することによつてソフトエツジ処理（例えばワイプ時における２つの映像の境界又は２つの映像の境界に表示されたラインのエツジをぼやかす処理）を実行させるように設定することができる。
【００９２】
またソフトエツジ設定欄７４の第２の選択ボタン７６Ｂを選択した場合、そのぼやかす幅のパラメータ値をキーボード１５を介して入力することができ、このとき入力されたパラメータ値がＣＰＵ２０の制御のもとにソフトネス設定表示部７７内に表示される。なおこのパラメータ値はソフトエツジ設定欄７４内の対応するアツプダウンボタン７８Ａ、７８Ｂを用いて０〜255 の範囲内で自在に増減させることができる。
【００９３】
一方ＣＰＵ２０は、ボーダ設定欄７５内にも「OFF 」及び「ON」の文字と、これらの文字にそれぞれ対応させていずれか一方のみをオン状態とすることのできる第１及び第２の選択ボタン７９Ａ、７９Ｂを表示させる。
【００９４】
そしてオペレータは、第１及び第２の選択ボタン７９Ａ、７９Ｂのいずれか一方をマウス操作により選択することができ、例えば第２の選択ボタン７９Ｂを選択することによりボータ表示処理（例えばワイプ時における２つの映像の境界にラインを表示する処理）を実行させるように設定することができる。
【００９５】
またボーダ設定欄７５の第２の選択ボタンを選択した場合、そのラインの幅（Width ）や、ラインの色相（Hue ）、彩度（Sat ）及び輝度（Lum ）のパラメータ値をキーボード１５を介して入力設定することができ、ＣＰＵ２０はこのとき入力されたパラメータ値をそれぞれ対応する幅設定表示部８０、色相設定表示部８１Ａ、彩度設定表示部８１Ｂ及び輝度設定表示部８１Ｃ内に表示させる一方、このようにして設定された色相、彩度及び輝度に基づく色を色設定表示部８２内に表示させる。なお幅設定表示部８０、色相設定表示部８１Ａ、彩度設定表示部８１Ｂ及び輝度設定表示部８１Ｃに表示された各パラメータ値は、それぞれ対応するアツプダウンボタン８３Ａ〜８３Ｈを用いて自在に増減させることができる。
【００９６】
一方ＣＰＵ２０は、設定表示欄７３の右側には、選択されたタブ７２Ａ〜７２Ｇの種類に依らず、このエフエクトセツトアツプウインド７０をオープンさせるに際して指定（ダブルクリツク）したエフエクトアイコン６３Ａ〜６３Ｙの番号（Pattem No 、図７の各アイコンの下に表示された数値）と、そのアイコン６３Ａ〜６３Ｙの編集リスト作成部３５のエフエクトトラツク３５Ｄにおける先頭のタイムコード（Start Point ）とをそれぞれパターン番号表示部８４及びスタートポイント表示部８５内に表示させる。
【００９７】
またＣＰＵ２０は、これと共に設定表示欄７３の右側にトランジシヨン設定表示欄８６及びフアンクシヨン設定表示欄８７を表示させ、トランジシヨン設定表示欄８６内にそのアイコン６３Ａ〜６３Ｙに応じた特殊効果処理を施すべきフレーム数を表示するフレーム数表示部８７と、特殊効果処理された映像をモニタ１６（図１）に表示させるリバースモードを設定し又は解除するためのリバースチエツクボツクス８９と、リバースモード時において特殊効果処理された映像の再生命令を入力するためのオートリバーストランデイシヨンボタン９１と、そのときの再生速度を調整するための調整バー９０とを表示させ、フアンクシヨン設定表示欄８７内に後述のキー処理、トレイル処理及びライテング処理を設定し又は解除するための第１〜第３のチエツクボツクス９１Ａ〜９１Ｃを表示させる。
【００９８】
さらにＣＰＵ２０は、エフエクトセツトアツプウインド７０の右下側にデフオルトボタン９２Ａ、ＯＫボタン９２Ｂ、キヤンセルボタン９２Ｃ及びヘルプボタン９２Ｄをそれぞれ表示させる。
【００９９】
この場合ＣＰＵ２０は、デフオルトボタン９２Ａがクリツクされた場合には、設定内容表示欄７３の各設定表示部７７、８０、８１Ａ〜８１Ｃ内に表示されたパラメータ値を予め設定されている初期値に戻す。またＣＰＵ２０は、ＯＫボタン９２Ｂがクリツクされた場合には、設定内容表示欄７３において設定した各パラメータ値を取り込み、記憶した後、このエフエクトセツトアツプウインド７０をクローズさせる。またＣＰＵ２０は、この取り込んだ各パラメータ値をこの後の編集処理時に反映させる。
【０１００】
さらにＣＰＵ２０は、キヤンセルボタン９２Ｃがクリツクされた場合には、このエフエクトセツトアツプウインド７０を用いて設定又は入力されたモードやパラメータ値を全て破棄した後（すなわち内部処理として設定モード変更処理やパラメータ値変更処理を行うことなく）、このエフエクトセツトアツプウインド７０をクローズさせる。さらにＣＰＵ２０は、ヘルプボタン９２Ｄがクリツクされた場合には、所定のヘルプ情報をこのエフエクトセツトアツプウインド７０上に重ねて表示させる。
【０１０１】
これに対してＣＰＵ２０は、このエフエクトセツトアツプウインド７０をオープンさせた後、例えばキータブ７２Ｃが選択された場合には、設定内容表示欄７３内に図９のようにキーフイル設定欄９３、キータイプ設定欄９４、ＦＧビデオ設定欄９５等を表示させる。
【０１０２】
そしてこのときＣＰＵ２０は、キーフイル設定欄９３内に「FG Bus」、「Shadow Matte」及び「Border Matte」の文字と、これらの文字にそれぞれ対応させていずれか１つのみをオン状態とすることのできる第１〜第３の選択ボタン９６Ａ〜９６Ｃを表示させる。
【０１０３】
そしてオペレータは、第１〜第３の選択ボタン９６Ａ〜９６Ｃのいずれか１つをマウス操作により選択することができ、例えば第１の選択ボタン９６Ａを選択することによつて第１及び第２の映像を重ね合わせて表示するモードを設定することができ、第２の選択ボタン９６Ｂを選択することによつて第１の映像上に立体表示された第２の映像の影の色を設定するモードを選択することができ、第３の選択ボタン９６Ｃを選択することによつて一方の映像のキー処理により抜かれた部分を所定の色で埋めるボーダマツト処理における埋める色を設定するモードを選択することができる。
【０１０４】
またオペレータは、第２又は第３の選択ボタン９６Ｂ、９６Ｃを選択した場合には、その色の色相、彩度及び輝度のパラメータ値を設定することができ、このとき設定した色相、彩度及び輝度の各パラメータ値がそれぞれ色相設定表示部９７Ａ、彩度設定表示部９７Ｂ及び輝度設定表示部９７Ｃに表示され、これら色相、彩度及び輝度に基づく色が色設定表示部９８内に表示（すなわち色設定表示部９８内がその色に着色）される。
【０１０５】
一方ＣＰＵ２０は、キータイプ設定欄９４内に「Title Key 」及び「Luminunce Key ／Chroma Key」の文字と、これら文字にそれぞれ対応させて第１及び第２の選択ボタン９９Ａ、９９Ｂを表示させる。
【０１０６】
そしてオペレータは、これら第１及び第２の選択ボタン９９Ａ、９９Ｂのいずれか一方をマウス操作により選択することができ、例えば第１の選択ボタン９９Ａを選択することによつて、映像の一部をタイトル文字に合わせて抜くタイトルキー処理のモードを設定することができ、第２の選択ボタン９９Ｂを選択することによつて、映像の中から明度が所定の閾値以上の部分を抜くルミナンスキー処理のモードと、映像の中から所定の色相の部分を抜くクロマキー処理のモードとを設定可能な状態にすることができる。
【０１０７】
またオペレータは、第２の選択ボタン９９Ｂを選択した場合には、ルミナンスキーチエツクボツクス１００Ａ及びクロマキーチエツクボツクス１００Ｃのいずれか一方又は両方をクリツクすることにより、ルミナンスキー処理及び又はクロマキー処理のモードを設定することができる。また第２の選択ボタン９９Ｂを選択した場合には、キー反転チエツクボツクス１００Ｂをクリツクすることにより、嵌め合わせて表示する２つの映像のうちの抜く方の映像を他方に反転させるキー反転処理のモードを設定することができる。
【０１０８】
そして例えばルミナンスキー処理のモードを設定した場合には閾値及び抜かれた部分に対するゲインのパラメータ値を設定することができ、このとき設定した閾値及びゲインのパラメータ値がそれぞれクリツプ設定表示部１０１Ａ及びゲイン設定表示部１０１Ｂに表示される。
【０１０９】
また例えばクロマキー処理のモードを設定した場合には、対象とする色相、その許容範囲、対象とする色相の閾値及び抜かれた部分に対するゲインのパラメータ値を設定することができ、このとき設定した対象とする色相、その許容範囲、対象とする色相の閾値及び抜かれた部分に対するゲインの各パラメータ値がそれぞれ色相設定表示部１０２Ａ、アングル設定表示部１０２Ｂ、クリツプ設定表示部１０２Ｃ及びゲイン設定表示部１０２Ｄに表示される。またこのとき設定された色相の色が色設定表示部１０３に表示される。
【０１１０】
さらにＣＰＵ２０は、ＦＧビデオ設定欄９５内に「Video １」及び「Video ２」の文字と、これら文字にそれぞれ対応する第１及び第２の選択ボタン１０４Ａ、１０４Ｂとを表示させる。
【０１１１】
そしてオペレータは、第１及び第２の選択ボタン１０４Ａ、１０４Ｂのいずれか一方をマウス操作により選択することができ、例えば第１の選択ボタン１０４Ａを選択することによつてメイン画面３０の編集リスト作成部３５（図６）の第１のビデオトラツク３５Ｃ（図６）に表示された枠６０Ａ、６０Ｃ（図６）に対応するクリツプの映像をフオアグランド画像（前景）とし、第２のビデオトラツク３５Ｅの表示された枠６０Ｂ、６０Ｄに対応するクリツプの映像をバツクグランド（後景）とするモードを選択でき、第２の選択ボタン１０４Ｂを選択することによつてメイン画面３０の編集リスト作成部３５の第１のビデオトラツク３５Ｃに表示された枠６０Ａ、６０Ｃに対応するクリツプの映像をバツクグランド画像（後景）とし、第２のビデオトラツク３５Ｅの表示された枠６０Ｂ、６０Ｄに対応するクリツプの映像をフオアグランド（前景）とするモードを選択できる。
【０１１２】
このようにしてこの編集装置１では、このエフエクトセツトアツプウインド７０を用いてメイン画面３０の編集リスト作成部３５のエフエクトトラツク３５Ｄに表示されたエフエクトアイコン６３Ａ〜６３Ｙに対応するエフエクトの各種詳細を設定し、又は変更することができる。
【０１１３】
かかる構成に加えこの編集装置１の場合、ＣＰＵ２０は、エフエクトセツトアツプウインドの設定表示欄７３内に表示される各種パラメータの内容を表す文字（例えば図８の設定表示欄内に表示された「Softness」、「Width 」、「Hue 」、「Sat 」及び「Lum 」や、図９の設定表示欄内に表示された「Hue 」、「Sat 」、「Lum 」、「Clip」、「Gain」、「Hue 」、「Angle 」、「Clip」及び「Gain」の文字）の前にコントロールパネル１７のつまみ１７Ａ〜１７Ｄをイメージしたマーク（以下、これをノブマークと呼ぶ）１１０を表示すると共に、各ノブマーク１１０の内側にそのパラメータに対して予め割り付けられたコントロールパネル１７の対応するつまみ１７Ａ〜１７Ｄに応じた番号（以下、これをノブ番号と呼ぶ）１１１を表示させる。
【０１１４】
この場合コントールパネル１７の各つまみ１７Ａ〜１７Ｄにそれぞれ割り付けるパラメータは、コントロールパネル１７のつまみ１７Ａ〜１７Ｄの数以下の数を１つのグループ（以下、これを機能グループと呼ぶ）として機能ごとにグループ分けされている。実際上、例えば図８においては「Softness」及び「Width 」と、「Hue 」、「Sat 」及び「Lum 」とをそれぞれ１つの機能グループとし、図９においては「Hue 」、「Sat 」及び「Lum 」と、「Clip」及び「Gain」と、「Hue 」、「Angle 」、「Clip」及び「Gain」とをそれぞれ１つの機能グループとしている。
【０１１５】
そしてＣＰＵ２０は、エフエクトセツトアツプウインド７０において、各機能グループのうち、そのときコントロールパネル１７の各つまみ１７Ａ〜１７Ｄによつて調節できる機能グループに属する各パラメータにそれぞれ対応する各ノブマーク１１０及びノブ番号１１１を有効を表す黒色で表示し、他の機能グループに属する各パラメータにそれぞれ対応する各ノブマーク１１０及びノブ番号１１１を無効を表す灰色で表示させる。
【０１１６】
従つてこのときオペレータは、コントロールパネル１７の所望のつまみ１７Ａ〜１７Ｄを回転操作することによつて、エフエクトセツトアツプウインド７０内のノブマーク１１０及びノブ番号１１１が黒色表示（有効表示）された各パラメータのうちの対応するパラメータの値を増減することができる。
【０１１７】
またオペレータは、ノブマーク１１０及びノブ番号１１１が灰色表示（無効表示）されたパラメータを調節したいときには、当該ノブマーク１１０をクリツクするようにする。
【０１１８】
このときＣＰＵ２０は、クリツクされたノブマーク１１０に対応するパラメータが属する機能グループ内の各パラメータにそれぞれ対応する各ノブマーク１１０及びノブ番号１１１を黒色表示する一方、そのときまで黒色表示されていた機能グループに属する各パラメータにそれぞれ対応する各ノブマーク１１０及びノブ番号１１１を灰色表示する。
【０１１９】
またＣＰＵ２０は、これと共にコントロールパネル１７によつてそのときまでノブマーク１１０及びノブ番号１１１が黒色表示されていた機能グループに属する各パラメータの値を調節できないようにソフトウエア内の設定を変更する一方、コントロールパネル１７によつて対応するノブマーク１１０及びノブ番号１１１が新たに黒色表示された機能グループに属する各パラメータの値を調節できるようにソフトウエア内の設定を変更する。
【０１２０】
かくしてこのときオペレータは、コントロールパネル１７の対応するつまみ１７Ａ〜１７Ｄを回転操作することによつて、対応するノブマーク１１０及びノブ番号１１１が新たに黒色表示された機能グループに属する各パラメータの値を増減させるようにして調節することができる。
【０１２１】
一方ＣＰＵ２０は、エフエクトセツトアツプウインド７０がオープン表示された状態において設定表示欄７３内のコントロールノブボタン１１２（図８）、１１３（図９）がクリツクされると、図１０に示すウインド（以下、これをコントロールノブアサインウインドと呼ぶ）１２０をエフエクトセツトアツプウインド７０上に重ねて表示させる。
【０１２２】
このコントロールノブアサインウインド１２０では、そのときエフエクトセツトアツプウインド７０上においてノブマーク１１０及びノブ番号１１１が黒色表示されている機能グループのグループ名がグループ名表示欄１２１内に表示される。
【０１２３】
またこのコントロールノブアサインウインド１２０では、コントロールパネル１７の各つまみ１７Ａ〜１７Ｄにそれぞれ対応させて、当該つまみ１７Ａ〜１７Ｄをイメージしたノブマーク１２２Ａ〜１２２Ｄが表示され、各ノブマーク１２２Ａ〜１２２Ｄの内側にそれぞれそのノブマーク１２２Ａ〜１２２Ｄと対応するコントロールパネル１７のつまみ１７Ａ〜１７Ｄに応じたノブ番号１２３Ａ〜１２３Ｄが表示される。
【０１２４】
さらにこのコントロールノブアサインウインド１２０では、グループ名表示欄１２１内に名称が表示された機能グループについて、コントロールパネル１７の各つまみ１７Ａ〜１７Ｄにそれぞれ割り付けられた対応するパラメータの名称（図１０においては、「Hue 」、「Saturation」及び「Luminance 」）が各ノブマーク１２２Ａ〜１２２Ｄの上部にそれぞれ設けられたパラメータ名表示欄１２４Ａ〜１２４Ｄ内にそれぞれ表示される。
【０１２５】
従つてオペレータは、このコントロールノブアサインウインド１２０を用いてグループ名表示欄１２１内に表示された機能グループの各パラメータに対するコントロールパネル１７の各つまみ１７Ａ〜１７Ｄの割り付けを確認することができる。
【０１２６】
一方ＣＰＵ２０は、コントロールノブアサインウインド１２０のプルダウンボタン１２５がクリツクされると、そのときパラメータ値を調節することができる各機能グループの一覧が表示されたプルダウインウインド（図示せず）を表示させる。
【０１２７】
そしてオペレータは、このプルダウンウインドを用いて所望する機能グループについてパラメータの値をコントロールパネル１７のつまみ１７Ａ〜１７Ｄを用いて調節できるように設定変更することができる。
【０１２８】
実際上ＣＰＵ２０は、プルダウンウインド内に表示されたいずれかの機能グループ名がクリツクされると、その機能グループのグループ名をグループ名表示欄１２１に表示させると共に、その機能グループについてコントロールパネル１７の各つまみ１７Ａ〜１７Ｄにそれぞれ割り付けられた対応するパラメータの名称を各つまみ１７Ａ〜１７Ｄに対応させて各パラメータ名表示欄１２４Ａ〜１２４Ｄ内にそれぞれ表示させる。
【０１２９】
またこのときＣＰＵ２０は、エフエクトセツトアツプウインド７０の設定表示欄７３に表示されているその機能グループに対応する各ノブマーク１１０及びノブ番号１１１を黒色表示させる一方、それまで各ノブマーク１１０及びノブ番号１１１が黒色表示されていた機能グループを含む他の機能グループと対応する各ノブマーク１１０及びノブ番号１１１を灰色表示させる。
【０１３０】
さらにＣＰＵ２０は、これと共にコントロールパネル１７を用いてそのときまでノブマーク１１０及びノブ番号１１１が黒色表示されていた機能グループに属する各パラメータの値を調節できないようにソフトウエア内の設定を変更する一方、コントロールパネル１７を用いて対応するノブマーク１１０及びノブ番号１１１が新たに黒色表示された機能グループに属する各パラメータの値を調節できるようにソフトウエア内の設定を変更する。
【０１３１】
なおＣＰＵ２０は、コントロールノブアサインウインド１２０が表示された状態において、エフエクトセツトアツプウインド７０内の灰色表示されたいずれかのノブマーク１１０がクリツクされた場合には、上述のようにクリツクされたノブマーク１１０に対応するパラメータが属する機能グループ内の各パラメータにそれぞれ対応する各ノブマーク１１０及びノブ番号１１１を黒色表示する一方、そのときまで黒色表示されていたグループに属する各パラメータにそれぞれ対応する各ノブマーク１１０及びノブ番号１１１を灰色表示する。
【０１３２】
またこのときＣＰＵ２０は、これと共にコントロールノブアサインウインド１２０のグループ名表示欄１２１内に表示されている機能グループのグループ名を、新たに対応する各ノブマーク１１０及びノブ番号１１１を黒色表示した機能グループのグループ名に変更する一方、コントロールノブアサインウインド１２０の各パラメータ名表示欄１２４Ａ〜１２４Ｄ内に表示されている各パラメータの名称を対応する新たなパラメータの名称に変更する。
【０１３３】
このようにしてＣＰＵ２０は、エフエクトセツトアツプウインド７０と、コントロールノブアサインウインド１２０との表示を連動させるようになされ、これによりオペレータがコントロールノブアサインウインド１２０を用いて所望のパラメータの値を容易に調節し得るようになされている。
【０１３４】
因にこのコントロールノブアサイン１２０は、クローズボタン１２６をクリツクすることによりクローズさせることができる。
【０１３５】
（５）エフエクトセツトアツプウインドにおけるＣＰＵの各種処理手順
ここで実際上ＣＰＵ２０は、図１１に示すエフエクトセツトアツプウインド表示処理手順ＲＴ１、図１２に示す第１のアサイン変更処理手順ＲＴ２及び図１３に示す第２のアサイン変更処理手順ＲＴ３に従つてエフエクトセツトアツプウインド７０における上述のような各種処理を実行する。
【０１３６】
すなわちＣＰＵ２０は、メイン画面３０の編集リスト作成部３５のエフエクトトラツク３５Ｄに表示されたエフエクト用のアイコン６３Ａ〜６３Ｙがダブルクリツクされると、エフエクトセツトアツプウインド表示処理手順ＲＴ１（図１１）をステツプＳＰ１において開始し、続くステツプＳＰ２においてＲＯＭ２１（図２）に格納された対応するプログラムに基づいてエフエクトセツトアツプウインド７０をメイン画面３０に重ねて表示させる。なおこのときＣＰＵ２０は、デフオルトとしてタブ７２Ａ（図８）が選択された状態のエフエクトセツトアツプウインド７０を表示させる。
【０１３７】
次いでＣＰＵ２０は、ステツプＳＰ３に進んでシステム制御部４（図１）にコントロールパネル１７が接続されているか否かをチエツクし、否定結果を得るとステツプＳＰ４に進んで各パラメータの項目に対応させてノブマーク１１０及びノブ番号１１１を表示しないようにソフトウエアを変更し、この後ステツプＳＰ７に進んでこのエフエクトセツトアツプウインド表示処理手順ＲＴ１を終了する。
【０１３８】
これに対してＣＰＵ２０は、ステツプＳＰ３において肯定結果を得ると、ステツプＳＰ５に進んでそのときのエフエクトセツトアツプウインド７０において設定できるエフエクトの種類を調べ、コントロールパネル１７のつまみ１７Ａ〜１７Ｄをその値を可変させるための可変手段として割り付けられる各パラメータの内容を表す文字の前にノブマーク１１０と、対応するノブ番号１１１とを灰色表示する。
【０１３９】
次いでＣＰＵ２０は、ステツプＳＰ６に進んでコントロールパネル１７のつまみ１７Ａ〜１７Ｄによつて調節できるようにする機能グループに属する各パラメータとそれぞれ対応する各ノブマーク１１０及びノブ番号１１１を黒色に着色し、この後ステツプＳＰ７に進んでこのエフエクトセツトアツプウインド表示処理手順ＲＴ１を終了する。
【０１４０】
一方ＣＰＵ２０は、デイスプレイにエフエクトセツトアツプウインド７０が表示された状態において灰色表示されているいずれかのノブマーク１１０がクリツクされると図１２に示す第１のアサイン変更処理手順ＲＴ２をステツプＳＰ１０において開始し、続くステツプＳＰ１１においてそのときまで黒色表示していた機能グループの各パラメータにそれぞれ対応する各ノブマーク１１０及びノブ番号１１１を灰色表示に変更する一方、これと共にコントロールパネル１７のつまみ１７Ａ〜１７Ｄによつてその機能グループに属する各パラメータの値を調節できないようにソフトウエア内の設定を変更する。
【０１４１】
次いでＣＰＵ２０は、ステツプＳＰ１２に進んでクリツクされたノブマーク１１０と対応するパラメータが属する機能グループを検索し、この後ステツプＳＰ１３に進んでその機能グループに属する各パラメータとそれぞれ対応する各ノブマーク１１０及びノブ番号１１１を黒色表示させると共に、コントロールパネル１７の対応するつまみ１７Ａ〜１７Ｄによつてその機能グループのパラメータの値を調節できるようにソフトウエア内の設定を変更する。
【０１４２】
続いてＣＰＵ２０は、ステツプＳＰ１４に進んでコントロールノブアサインウインド１２０（図１０）を表示させているか否かを判断し、否定結果を得るとステツプＳＰ１７に進んでこの第１のアサイン変更処理手順ＲＴ２を終了する。
【０１４３】
これに対してＣＰＵ２０は、このステツプＳＰ１４において肯定結果を得ると、ステツプＳＰ１５に進んでコントロールノブアサインウインド１２０内のグループ名表示欄１２１（図１０）に表示されている機能グループの名称を新たに選択された機能グループ（ノブマーク１１０がクリツクされたパラメータが属する機能グループ）の名称に変更する。
【０１４４】
そしてＣＰＵ２０は、この後ステツプＳＰ１６に進んでコントロールノブアサインウインド１２０内の各パラメータ名表示欄１２４Ａ〜１２４Ｄ（図１０）の内容をその機能グループについて予めコントロールパネル１７の各つまみ１７Ａ〜１７Ｄに割り付けられた対応するパラメータの名称に書き換え、これに応じてソフトウエアを変更した後、ステツプＳＰ１７に進んでこの第１のアサイン変更処理手順ＲＴ２を終了する。
【０１４５】
他方ＣＰＵ２０は、コントロールノブアサインウインド１２０（図１０）が表示された状態においてグループ名表示欄１２１（図１０）に表示される機能グループの名称が変更（プルダウンウインドが表示された状態においていずれかの機能グループの段がクリツクされた場合）されると、図１３に示す第２のアサイン変更処理手順ＲＴ３をステツプＳＰ２０において開始し、続くステツプＳＰ２１においてそのときまでに黒色表示していたエフエクトセツトアツプウインド７０の設定表示欄７３内の各ノブマーク１１０及びノブ番号１１１を灰色表示に変更すると共に、これら各ノブマーク１１０にそれぞれ対応する各パラメータをコントロールパネル１７を用いて調節できないようにソフトウエアの設定を変更する。
【０１４６】
次いでＣＰＵ２０は、ステツプＳＰ２２に進んで新たに選択された機能グループ（そのときコントロールノブアサインウインド１２０（図１０）のグループ名表示欄１２１に名称が表示されている機能グループ）に属するパラメータを検索する。
【０１４７】
さらにＣＰＵ２０は、この後ステツプＳＰ２３に進んで新たに選択された機能グループに属する各パラメータとそれぞれ対応する各ノブマーク１１０及びノブ番号１１１を黒色表示すると共に、これらパラメータの値をコントロールパネル１７の対応するつまみ１７Ａ〜１７Ｄを回動操作することによつて調節できるようにソフトウエア内の設定を変更し、この後ステツプＳＰ２４に進んでこの第２のアサイン変更処理手順ＲＴ３を終了する。
【０１４８】
（６）本実施の形態の動作及び効果
以上の構成において、この編集装置１では、メイン画面３０の編集リスト作成部３５のエフエクトトラツク３５Ｄに表示されたエフエクトアイコン６３Ａ〜６３Ｙをダブルクリツクすると、図８又は図９に示すエフエクトセツトアツプウインド７０が表示される。
【０１４９】
そしてこのエフエクトセツトアツプウインド７０では、設定表示欄７３内に表示されるコントロールパネル１７のつまみ１７Ａ〜１７Ｄによつて値を増減できる各パラメータの項目にそれぞれ対応させてノブマーク１１０及びノブ番号１１１が表示される。
【０１５０】
このときこれら各ノブマーク１１０及びノブ番号１１１のうち、そのときコントロールパネル１７のつまみ１７Ａ〜１７Ｄを回転操作することによつて調節できる機能グループに属する各パラメータとそれぞれ対応するノブマーク１１０及びノブ番号１１１が黒色表示され、それ以外の機能グループに属する各パラメータとそれぞれ対応するノブマーク１１０及びノブ番号１１１が灰色表示される。
【０１５１】
従つてこの編集装置１では、エトフエクトセツトアツプウインド７０に表示されたノブマーク１１０及びノブ番号１１１に基づいてコントロールパネル１７のつまみ１７Ａ〜１７Ｄを用いてどのパラメータを調節できるかをオペレータが瞬時にかつ確実に認識することができる。
【０１５２】
またエフエクトセツトアツプウインド７０では、灰色表示されたノブマーク１１０をクリツクすることによつて、そのノブマーク１１０に対応するパラメータが属する機能グループの各パラメータとそれぞれ対応する各ノブマーク１１０及びノブ番号１１１が黒色表示され、これら各ノブマーク１１０とそれぞれ対応するパラメータの値をコントロールパネル１７の対応するつまみ１７Ａ〜１７Ｄを用いて調節し得るようにすることができる。
【０１５３】
従つてこの編集装置１では、エフエクトセツトアツプウインド１２０を表示させた状態において無効表示されているパラメータの値を調節したいときに、その設定変更を容易にかつ瞬時に行うことができる。
【０１５４】
以上の構成によれば、エフエクトの詳細を設定するためのエフエクトセツトアツプウインド７０において、コントロールパネル１７のつまみ１７Ａ〜１７Ｄを回転操作することによつて調節でき又は調節し得るように設定できる各パラメータにそれぞれ対応させてノブマーク１１０及び対応するノブ番号１１１を表示するようにしたことにより、コントロールパネル１７のつまみ１７Ａ〜１７Ｄと各パラメータの対応関係をオペレータが瞬時にかつ確実に認識し得るようにすることができる。かくするにつき使い勝手を格段的に向上させて編集リストの作成作業を容易化させることができ、これにより編集効率を向上させ得る編集装置を実現できる。
【０１５５】
また無効表示されたノブマーク１１０をクリツクすることによつて、そのノブマーク１１０に対応するパラメータが属する機能グループの各パラメータとそれぞれ対応する各ノブマーク１１０及びノブ番号１１１が黒色表示され、これら各ノブマーク１１０とそれぞれ対応するパラメータの値をコントロールパネル１７の対応するつまみ１７Ａ〜１７Ｄを用いて調節し得るようにすることができるようにしたことにより、所望のパラメータの値をコントロールパネル１７のつまみ１７Ａ〜１７Ｄを用いて調節し得るように設定変更する操作を容易化させることができる。かくするにつき使い勝手を格段的に向上させて編集リストの作成作業を容易化させることができ、これにより編集効率を向上させ得る編集装置を実現できる。
【０１５６】
（７）他の実施の形態
なお上述の実施の形態においては、本発明を図１のように構築された編集装置１に適用するようにした場合について述べたが、本発明はこれに限らず、この他種々の構成の編集装置又は単に編集リストを作成するための編集リスト作成装置に広く適用することができる。
【０１５７】
また上述の実施の形態においては、主制御部３のＣＰＵ２０が編集リストにおける所定パラメータの値を設定するための設定画面として図８及び図９のようなエフエクトセツトアツプウインド７０を表示手段としてのデイスプレイ１２に表示させるようにした場合について述べたが、本発明はこれに限らず、設定画面としてはこれ以外の形態の設定画面をデイスプレイ１２に表示させるようにしても良い。
【０１５８】
さらに上述の実施の形態においては、コントロールパネル１７に配設するパラメータの値を調節するための複数の操作子として回転操作型のつまみ１７Ａ〜１７Ｄを適用するようにした場合について述べたが、本発明はこれに限らず、スライド操作型の操作子を適用するようにしても良く、コントロールパネル１７に配設するパラメータの値を調節するための操作子としては、この他種々の形態のものを広く適用できる。またこの場合上述の実施の形態においては、操作子（つまみ１７Ａ〜１７Ｄ）の数を４つとする場合について述べたが、本発明はこれに限らず、コントロールパネル１７に配設する操作子の数としては４以外の数であつても良い。
【０１５９】
さらに上述の実施の形態においては、コントロールパネル１７の各つまみ１７Ａ〜１７Ｄ及びパラメータの対応関係をエフエクトセツトアツプウインド７０上に表示させる表示制御手段として、編集装置１全体の制御を司る主制御部３のＣＰＵ２０を適用するようにした場合について述べたが、本発明はこれに限らず、当該ＣＰＵ２０とは別個にコントロールパネル１７の各つまみ１７Ａ〜１７Ｄ及びパラメータの対応関係をエフエクトセツトアツプウインド７０上に表示させる表示制御手段を設けるようにしても良い。
【０１６０】
さらに上述の実施の形態においては、コントロールパネル１７の各つまみ１７Ａ〜１７Ｄ及びパラメータの対応関係の表示方法として、エフエクトセツトアツプウインド７０の各パラメータに対応する項目に対応させて、コントロールパネル１７の対応するつまみ１７Ａ〜１７Ｄに応じた番号（ノブ番号１１１）を表示したり、コントロールノブアサインウインド１２０においてノブ番号１２３Ｃが付与された各ノブマーク１２２Ａ〜１２２Ｄに対応させて、対応するパラメータの名称を表示するようにした場合について述べたが、本発明はこれに限らず、コントロールパネル１７の各つまみ１７Ａ〜１７Ｄ及びパラメータの対応関係の表示方法としてはこの他種々の方法を広く適用することができる。
【０１６１】
さらに上述の実施の形態においては、エフエクトセツトアツプウインド７０において各パラメータにそれぞれ対応させて表示された各ノブマーク１１０及びノブ番号１１１のうち、有効なものを黒色表示し、無効なものを灰色表示するようにした場合について述べたが、本発明はこれに限らず、有効及び無効なものの表示色としては、この他種々の表示色を広く適用できる。
【０１６２】
さらに上述の実施の形態においては、コントロールパネル１７の各つまみ１７Ａ〜１７Ｄ及びパラメータの対応関係を表す識別マークとして、エフエクトセツトアツプウインド７０の各パラメータに対応する項目に対応させて、ノブマーク１１０及びノブ番号１１１を表示するようにした場合について述べたが、本発明はこれに限らず、この他種々の形態の識別マークを広く適用することができる。
【０１６３】
さらに上述の実施の形態においては、コントロールパネル１７のつまみ１７Ａ〜１７Ｄによつて調節できるパラメータの設定変更を機能グループ単位で行い得るようにした場合について述べたが、本発明はこれに限らず、例えばパラメータ単位で行い得るようにしても良い。
【０１６４】
【発明の効果】
上述のように本発明によれば、登録された複数の映像及び又は音声素材を繋ぎ合わせて所望の編集データを作成する編集装置において、設定対象となる複数のパラメータを複数のグループにグループ化し、当該グループ毎にコントロールパネルに配設された複数の操作子に対して複数のパラメータをそれぞれ割り付けることにより、各操作子に対して各２以上のパラメータを割り付ける割付手段と、複数のパラメータに対するパラメータ値を設定するための設定画面において、複数のパラメータと操作子との対応関係を表示装置に表示させる表示制御手段と、ユーザの操作子に対する操作に応じて、操作された操作子に割り付けられた各２以上のパラメータのうち、現在選定されている一のグループに属する一のパラメータに対するパラメータ値を調整する調整手段とを設け、表示制御手段は、複数の操作子を表す識別マークを、当該複数の操作子に割り付けられた複数のパラメータに対応させて表示させることにより、割付の対応関係を設定画面に表示すると共に、一のグループに属するパラメータに対応する識別マークを有効表示する一方、一のグループ以外の他のグループに属するパラメータに対応する識別マークを無効表示し、調整手段は、無効表示されている識別マークに対するユーザの操作に応じて、操作された当該識別マークが属するグループを一のグループに選定することにより、オペレータがコントロールパネルの各操作子と、パラメータとの対応関係を容易に把握することができる。かくするにつき編集データを作成する作業を容易化させることができ、編集作業の作業効率を向上させ得る編集装置を実現できる。
【０１６５】
また本発明によれば、登録された複数の映像及び又は音声素材を繋ぎ合わせて所望の編集データを作成する際のパラメータ値調整方法において、複数のグループにグループ化された設定対象となる複数のパラメータを、グループ毎にコントロールパネルの複数の操作子に対してそれぞれ割り付けることにより各操作子に対して各２以上割り付けられた複数のパラメータと共に、複数のパラメータと操作子との対応関係を表示し、複数の操作子を表す識別マークを、当該複数の操作子に割り付けられた複数のパラメータに対応させて表示させることにより、割付の対応関係を設定画面に表示すると共に、現在選定されている一のグループに属するパラメータに対応する識別マークを有効表示する一方、一のグループ以外の他のグループに属するパラメータに対応する識別マークを無効表示する表示ステツプと、ユーザの操作子に対する操作に応じて、操作された操作子に割り付けられた各２以上のパラメータのうち、一のグループに属する一のパラメータに対するパラメータ値を調整し、又は無効表示されている識別マークに対するユーザの操作に応じて、操作された当該識別マークが属するグループを一のグループに選定する調整ステツプとを設けることにより、オペレータがコントロールパネルの各操作子と、パラメータとの対応関係を容易に把握することができる。かくするにつき編集データを作成する作業を容易化させることができ、編集作業の作業効率を向上させ得るパラメータ調整方法を実現できる。
【図面の簡単な説明】
【図１】本実施の形態による編集装置の全体構成を示すブロツク図である。
【図２】主制御部の構成を示すブロツク図である。
【図３】メイン画面を示す略線図である。
【図４】ビデオクリツプエデイツトウインドを示す略線図である。
【図５】メイン画面を示す略線図である。
【図６】メイン画面を示す略線図である。
【図７】セレクトエフエクトウインドを示す略線図である。
【図８】エフエクトセツトアツプウインドを示す略線図である。
【図９】エフエクトセツトアツプウインドを示す略線図である。
【図１０】コントロールノブアサインウインドを示す略線図である。
【図１１】エフエツトセツトアツプウインド表示処理手順を示すフローチヤートである。
【図１２】第１のアサイン変更処理手順を示すフローチヤートである。
【図１３】第２のアサイン変更処理手順を示すフローチヤートである。
【符号の説明】
１……編集装置、３……主制御部、１３……マウス、１５……キーボード、１７……コントロールパネル、１７Ａ〜１７Ｄ……つまみ、２０……ＣＰＵ、３０……メイン画面、３５……編集リスト作成部、７０……エフエクトセツトアツプウインド、７３……設定表示欄、１１０、１２２Ａ〜１２２Ｄ……ノブマーク、１１１、１２３Ａ〜１２３Ｄ……ノブ番号、１１２、１１３……コントロールノブボタン、１２０……コントロールノブアサインウインド、１２１……グループ名表示欄、１２４Ａ〜１２４Ｄ……パラメータ名表示欄、１２５……プルダウンボタン、ＲＴ１……エフエクトセツトアツプウインド表示処理手順、ＲＴ２……第１のアサイン変更処理手順、ＲＴ３……第２のアサイン変更処理手順。
【図１】
0004035795.tif 000002
【図２】
0004035795.tif 000003
【図３】
0004035795.tif 000004
【図４】
0004035795.tif 000005
【図５】
0004035795.tif 000006
【図６】
0004035795.tif 000007
【図７】
0004035795.tif 000008
【図８】
0004035795.tif 000009
【図９】
0004035795.tif 000010
【図１０】
0004035795.tif 000011
【図１１】
0004035795.tif 000012
【図１２】
0004035795.tif 000013
【図１３】
0004035795.tif 000014